(57)【要約】【課題】  通話中の操作を簡単にした通信端末を提供すること。【解決手段】  無線回路２２および無線ＬＡＮ回路２３と、通信する対象を識別するためのユーザ識別情報と、ユーザ識別情報と無線回路２２および無線ＬＡＮ回路２３それぞれに対応する複数のアクセス情報とを関連付けた電話帳データを記憶するフラッシュＲＯＭ３１と、無線ＬＡＮ回路２３が相手先の携帯電話機と通信中に通信不能となった場合、電話帳データを検索し、相手先の携帯電話機のユーザのユーザ識別情報に関連し、かつ、無線回路２２に対応する携帯電話番号を抽出し、抽出された携帯電話番号を用いて、無線回路２２で相手先の携帯電話に発呼する制御部２１と、を備えた通信端末。【選択図】        図３
2008148057.tif 000002
【特許請求の範囲】
【請求項１】
複数種類の通信手段と、
通信する対象を識別するための対象識別情報と、前記複数種類の通信手段それぞれに対応する複数のアクセス情報とを関連付けたアドレステーブルを記憶する記憶手段と、
前記複数種類の通信手段のうちの第１の通信手段が通信対象と通信中に通信不能となった場合、前記アドレステーブルを検索し、前記通信対象を識別するための前記対象識別情報に関連し、かつ、前記複数種類の通信手段のうち前記第１の通信手段とは別の第２の通信手段に対応するアクセス情報を抽出する抽出手段と、
前記抽出されたアクセス情報を用いて、前記第２の通信手段で前記通信対象に接続要求を送信する再接続手段と、を備えた通信端末。
【請求項２】
前記アクセステーブルは、さらに、前記対象識別情報と、前記複数種類の通信手段それぞれに対応し、データを送信するための複数のアドレス情報とを関連付け、
前記抽出手段は、前記アクセステーブルを検索し、前記通信対象を識別するための前記対象識別情報に関連し、かつ、前記複数種類の通信手段のうち前記第１の通信手段とは別の第２の通信手段に対応するアドレス情報を抽出するアドレス情報抽出手段を含み、
前記再接続手段が前記接続要求を送信する前に、前記抽出されたアドレス情報を用いて、前記第２の通信手段で前記通信対象に切換えることを示す切換情報を送信するための切換通知手段を、さらに備えた請求項１に記載の通信端末。
【請求項３】
前記第１の通信手段により前記通信対象と通信中に、前記第２の通信手段が前記通信対象から前記切換情報を受信すると、前記第１の通信手段による通信を切断する切断手段を、さらに備えた請求項２に記載の通信端末。
【請求項４】
前記切断手段が通信を切断した後に前記第２の通信手段が前記通信対象から前記接続要求を受信すると、前記第２の通信手段による通信を開始する自動着信手段を、さらに備えた請求項３に記載の通信端末。
【請求項５】
前記複数種類の通信手段それぞれは、通信中に受信する電波の電波強度を検出する電波強度検出手段と、
前記検出された電波強度に基づいて、通信が不能となったか否かを検出する通信状態検出手段と、を含む、請求項１に記載の通信端末。
【発明の詳細な説明】
【技術分野】
【０００１】
この発明は通信端末に関し、特にＩＰ網に接続可能な通信端末に関する。
【背景技術】
【０００２】
近年、公衆電話回線網の代わりにインターネットなどのＩＰ（インターネットプロトコル）網を利用したＩＰ電話機が登場している。また、ＩＰ網は、無線通信を利用したローカルエリアネットワーク（以下「無線ＬＡＮ」という）で実現することが可能である。この無線ＬＡＮに対応した通信回路をＰＤＣ（Ｐｅｒｓｏｎａｌ  Ｄｉｇｉｔａｌ  Ｃｅｌｌｕｌａｒ）またはＰＨＳ（Ｐｅｒｓｏｎａｌ  Ｈａｎｄｙｐｈｏｎｅ  Ｓｙｓｔｅｍ）などの携帯電話機に搭載すれば、携帯電話機をＩＰ電話として利用することが可能となる。
【０００３】
一方、携帯電話機をＩＰ電話として使用する場合、一般的に通信媒体に無線を用いた無線ＬＡＮ（Ｌｏｃａｌ  Ａｒｅａ  Ｎｅｔｗｏｒｋ）が採用される。この無線ＬＡＮは、通信可能範囲が比較的狭いために、携帯電話を携帯するユーザが通信不可能な圏外に異動すると、通信を継続できなくなってしまう。
【０００４】
特開平６−２１６８３５号公報には、識別手段がサービス圏外と識別しているときに、操作手段により電話番号が入力されると、前記電話番号を記憶手段に記憶し、移動後、識別手段がサービス圏内にいると識別すると、発呼手段が前記記憶手段に記憶された電話番号に自動的に発呼するように発呼制御手段が制御する無線電話装置が記載されている。
【０００５】
しかしながら、特開平６−２１６８３５号公報に記載の技術を用いたとしても、無線ＬＡＮの圏外に位置するときは、通話できないといった問題がある。無線ＬＡＮの圏外に位置する場合であっても、携帯電話機の通信可能範囲に位置すれば携帯電話網を用いて通話することができる。しかしながら、携帯電話網に接続するためには、ユーザは相手の電話番号を入力する、または電話帳から選択する必要があり、操作が煩雑となるといった問題があった。
【特許文献１】特開平６−２１６８３５号公報
【発明の開示】
【発明が解決しようとする課題】
【０００６】
この発明は上述した問題点を解決するためになされたもので、この発明の目的の１つは、通話中の操作を簡単にした通信端末を提供することである。
【課題を解決するための手段】
【０００７】
上述した目的を達成するためにこの発明のある局面に従えば、通信端末は、複数種類の通信手段と、通信する対象を識別するための対象識別情報と、複数種類の通信手段それぞれに対応する複数のアクセス情報とを関連付けたアドレステーブルを記憶する記憶手段と、複数種類の通信手段のうちの第１の通信手段が通信対象と通信中に通信不能となった場合、アドレステーブルを検索し、通信対象を識別するための対象識別情報に関連し、かつ、複数種類の通信手段のうち第１の通信手段とは別の第２の通信手段に対応するアクセス情報を抽出する抽出手段と、抽出されたアクセス情報を用いて、第２の通信手段で通信対象に接続要求を送信する再接続手段と、を備える。
【０００８】
この局面に従えば、通信する対象を識別するための対象識別情報と、複数のアクセス情報とを関連付けたアドレステーブルが記憶されており、第１の通信手段が通信対象と通信中に通信不能となった場合、アドレステーブルが検索され、通信対象を識別するための対象識別情報に関連し、かつ、第２の通信手段に対応するアクセス情報が抽出され、抽出されたアクセス情報を用いて、第２の通信手段で通信対象に接続要求が送信される。これにより、通信対象と第２の通信手段で通信が可能となる。このため、通信手段を切換える操作、発呼する操作が不要となり、利便性が向上する。その結果、通話中の操作を簡単にした通信端末を提供することができる。
【０００９】
好ましくは、アクセステーブルは、さらに、対象識別情報と、複数種類の通信手段それぞれに対応し、データを送信するための複数のアドレス情報とを関連付け、抽出手段は、アクセステーブルを検索し、通信対象を識別するための対象識別情報に関連し、かつ、複数種類の通信手段のうち第１の通信手段とは別の第２の通信手段に対応するアドレス情報を抽出するアドレス情報抽出手段を含み、再接続手段が接続要求を送信する前に、抽出されたアドレス情報を用いて、第２の通信手段で通信対象に切換えることを示す切換情報を送信するための切換通知手段を、さらに備える。
【００１０】
この局面に従えば、第１の通信手段が通信対象と通信中に通信不能となった場合、アクセステーブルが検索され、通信対象を識別するための対象識別情報に関連し、かつ、第２の通信手段に対応するアドレス情報が抽出され、接続要求が送信される前に、抽出されたアドレス情報を用いて、第２の通信手段で切換情報が送信される。切換信号が送信された後に、接続要求が送信されるので通信対象が第２の通信手段を用いた通信に切換えることができ、第２の通信手段を用いた通信にスムーズに切換えることができる。このため、切換の待ち時間を短くすることができる。
【００１１】
好ましくは、第１の通信手段により通信対象と通信中に、第２の通信手段が通信対象から切換情報を受信すると、第１の通信手段による通信を切断する切断手段を、さらに備える。
【００１２】
好ましくは、切断手段が通信を切断した後に第２の通信手段が通信対象から接続要求を受信すると、第２の通信手段による通信を開始する自動着信手段を、さらに備える。
【００１３】
好ましくは、複数種類の通信手段それぞれは、通信中に受信する電波の電波強度を検出する電波強度検出手段と、検出された電波強度に基づいて、通信が不能となったか否かを検出する通信状態検出手段と、を含む。
【発明を実施するための最良の形態】
【００１４】
以下、本発明の実施の形態について図面を参照して説明する。以下の説明では同一の部品には同一の符号を付してある。それらの名称および機能も同じである。したがってそれらについての詳細な説明は繰返さない。
【００１５】
図１は、本実施の形態における通信システムの概要を示す図である。図１を参照して、通信システム１０は、携帯電話システム２００と、無線ＬＡＮシステム３００とを含む。携帯電話システム２００は、通信事業者が提供するシステムであり、ここではその一例として、通信網２０２と、その通信網２０２に接続された基地局装置２０１と、基地局装置２０１と無線通信する通信端末としての携帯電話機１とを含む。ここでは、説明のために１つの基地局装置２０１を示しているが、台数は１以上あればよく、台数を限定するものではない。基地局装置２０１は、通信網２０２の中継器として機能する無線局装置である。携帯電話機１は、基地局装置２０１の通信可能領域内に位置するときに、基地局装置２０１と無線通信して、通信網２０２に接続される。ここでは、通信事業者が提供する通信網２０２を第１のネットワーク（携帯網）と呼ぶ。
【００１６】
無線ＬＡＮシステム３００は、携帯電話機１と、３台のアクセスポイント（ＡＰ）１００〜１０２と、ＶｏＩＰ（Ｖｏｉｃｅ  ｏｖｅｒ  Ｉｎｔｅｒｎｅｔ  Ｐｒｏｔｏｃｏｌ）サーバ１１２と、ゲートウェイ（Ｇ／Ｗ）１１１とを含む。ＡＰ１００〜１０２と、ＶｏＩＰサーバ１１２と、Ｇ／Ｗ１１１とは、ＬＡＮケーブル１１０にそれぞれ接続され、それらによって互いにデータの送受信が可能な第２のネットワーク（無線ＬＡＮ）を構成する。ここでは、説明のために３台のアクセスポイント１００〜１０２を示しているが、台数は１以上あればよく台数を限定するものではない。アクセスポイント１００〜１０２は、ＬＡＮの中継器として機能する無線局装置である。携帯電話機１は、アクセスポイント１００〜１０２のいずれか１つと無線通信することが可能であり、アクセスポイント１００〜１０２のいずれか１つと無線通信すると、携帯電話機１が無線ＬＡＮに接続され、ＶｏＩＰサーバ１１２、Ｇ／Ｗ１１１と通信することが可能となる。
【００１７】
無線ＬＡＮは、Ｇ／Ｗ１１１を介して、インターネット１１５と接続される。このため、携帯電話機１は、無線ＬＡＮに接続されている間、インターネット１１５に接続された他の通信端末と通信することが可能となる。
【００１８】
ＶｏＩＰサーバ１１２は、それぞれが第２のネットワークに接続された携帯電話機１と、相手方装置との間の通信を仲介する。相手方装置は、第２のネットワークに接続されたコンピュータ、ＩＰ電話機、およびアクセスポイント１００〜１０２のいずれかと通信する別の携帯電話機を含む。ＶｏＩＰサーバ１１２は、予め携帯電話機１を識別するための装置識別情報と、その携帯電話機１に予め割当てられた内線番号とを関連付けたユーザテーブルを記憶しており、携帯電話機１が無線ＬＡＮに接続された段階で、その携帯電話機１に割当てられたＩＰアドレスと、携帯電話機１に割当てられた内線番号とを関連付ける。例えば、第１の携帯電話機に、第１の装置識別情報および第１の内線番号が割当てられており、第２の携帯電話機に第２の装置識別情報および第２の内線番号が割当てられている場合について説明する。第１の携帯電話機は、第２のネットワークに接続されると、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）サーバにより第１のＩＰアドレスが割当てられ、ＤＨＣＰサーバから第１のＩＰアドレスを取得する。その後、第１の携帯電話機が第１のＩＰアドレスをＶｏＩＰサーバ１１２に登録要求すると、ＶｏＩＰサーバ１１２は、第１の内線番号と第１のＩＰアドレスとを関連付ける。同様に第２の携帯電話機は、第２のネットワークに接続されると、ＤＨＣＰサーバにより第２のＩＰアドレスが割当てられ、ＤＨＣＰサーバから第２のＩＰアドレスを取得する。その後、第２の携帯電話機が第２のＩＰアドレスをＶｏＩＰサーバ１１２に登録要求すると、ＶｏＩＰサーバ１１２は、第２の内線番号と第２のＩＰアドレスとを関連付ける。第１の携帯電話機１は、第２の内線番号をＶｏＩＰサーバ１１２に送信すれば、ＶｏＩＰサーバは、第１および第２の携帯電話機との間を仲介して、第１および第２の携帯電話機との間でＩＰパケットを送受信する通信を可能とする。これにより、第１および第２の携帯電話機それぞれがＩＰ電話機として機能し、通話が可能となる。また、第１の携帯電話機が、第２の内線番号をＶｏＩＰサーバ１１２に送信して、ＶｏＩＰサーバ１１２から第２の携帯電話機に割当てられた第２のＩＰアドレスを取得し、第１の携帯電話機と第２の携帯電話機との間で直接ＩＰパケットを送受信するようにしてもよい。
【００１９】
図２は、本発明の実施の形態の一つにおける携帯電話機の外観を示す斜視図である。図２（Ａ）は、オープンスタイルの携帯電話機の外観を示し、図２（Ｂ）はクローズスタイルの携帯電話機の外観を示す。図２（Ａ）および図２（Ｂ）を参照して、携帯電話機１は、操作側部３と、表示側部２とを含む。操作側部３は、電源キー１４Ａ、テンキーおよび通話キー等を含む操作キー１４と、マイク１３とが内側面に配置され、マイク端子１６およびイヤホン端子１７が右側面に配置される。表示側部２は、液晶表示装置（ＬＣＤ）１５と、レシーバを構成する第１スピーカ１１と、カメラ２４とが内側面に配置され、第２スピーカ１２が外側面に配置される。なお、ここでは携帯電話機１がＬＣＤ１５を備える例を示すが、ＬＣＤ１５に代えて、有機ＥＬ（Ｅｌｅｃｔｒｏ  Ｌｕｍｉｎｅｓｃｅｎｃｅ）ディスプレイを用いてもよい。操作側部３と表示側部２とは、ヒンジ機構で回転可能に連結され、操作側部３と表示側部２とは開閉自在である。携帯電話機１を折りたたんで、操作側部３と表示側部２とが閉状態にあるときの携帯電話機１の状態がクローズスタイルであり、携帯電話機１を開いて、操作側部３と表示側部２とが開状態にあるときの携帯電話機１の状態がオープンスタイルである。
【００２０】
図３は、本実施の形態における携帯電話機の機能の一例を示す機能ブロック図である。図３を参照して、携帯電話機１は、携帯電話機１の全体を制御するための制御部２１と、アンテナ２２Ａと接続された無線回路２２と、アンテナ２３Ａと接続された無線ＬＡＮ回路２３と、音声データを処理するためのコーデック部２８と、コーデック部２８の入出力を切換えるための音声切換部２９と、それぞれが音声切換部２９に接続されたマイク１３、第１スピーカ１１、第２スピーカ１２、マイク端子１６およびイヤホン端子１７と、カメラ２４と、ユーザの操作の入力を受付ける操作キー１４と、振動部２６と、ＬＣＤ１５の表示を制御するための表示制御部３０と、制御部２１で実行するためのプログラム、アドレス帳データおよび電子メール等を記憶するためのフラッシュＲＯＭ（Ｒｅａｄ  Ｏｎｌｙ  Ｍｅｍｏｒｙ）３１と、制御部２１の作業領域として使用されるＲＡＭ（Ｒａｎｄｏｍ  Ａｃｃｅｓｓ  Ｍｅｍｏｒｙ）３２と、カードインターフェース（Ｉ／Ｆ）２７とを含む。
【００２１】
無線回路２２は、制御部２１により制御され、通信網２０２に接続された基地局装置２０１と無線通信する。基地局装置２０１がアンテナから送信する無線信号は、アンテナ２２Ａにより受信される。無線回路２２は、アンテナ２２Ａにより受信された無線信号が入力され、無線信号を復調した音声信号をコーデック部２８に出力する。また、無線回路２２は、コーデック部２８から音声信号が入力され、音声信号を変調した無線信号をアンテナ２２Ａに出力する。アンテナ２２Ａから送信される無線信号は、基地局装置２０１のアンテナで受信され、基地局装置２０１に出力される。
【００２２】
無線ＬＡＮ回路２３は、制御部２１により制御され、アクセスポイント１００〜１０２のいずれか１つと無線通信する。アクセスポイント１００〜１０２のいずれかが送信する無線信号は、アンテナ２３Ａにより受信される。無線ＬＡＮ回路２３は、アンテナ２３Ａにより受信された無線信号が入力され、無線信号を復調した音声信号をコーデック部２８に出力する。また、無線ＬＡＮ回路２３は、コーデック部２８から音声信号が入力され、音声信号を変調した無線信号をアンテナ２３Ａに出力する。アンテナ２３Ａから送信される無線信号は、アクセスポイント１００〜１０２のいずれかで受信される。無線ＬＡＮ回路２３とアクセスポイント１００〜１０２それぞれとの間の通信は、電磁波を通信媒体とするものであってもよいし、赤外線等を通信媒体とするものであってもよい。
【００２３】
コーデック部２８は、無線回路２２または無線ＬＡＮ回路２３から入力される音声信号を復号し、復号したデジタルの音声信号をアナログに変換し、増幅し、そして音声切換部２９に出力する。また、コーデック部２８は、音声切換部２９を介してマイク１３またはマイク端子１６からアナログの音声信号が入力され、音声信号をデジタルに変換し、符号化し、そして符号化した音声信号を無線回路２２または無線ＬＡＮ回路２３に出力する。
【００２４】
音声切換部２９は、制御部２１により制御され、コーデック部２８への音声信号の入出力を切換える。音声切換部２９は、コーデック部２８から受け付けた音声信号を、イヤホン端子１７、第１スピーカ１１および第２スピーカ１２のいずれかに出力する。イヤホン端子１７にイヤホンが接続されている場合には、コーデック部２８から受け付けた音声信号をイヤホン端子１７に出力する。イヤホン端子１７にイヤホンが接続されていない場合、携帯電話機１がハンズフリーモードであれば、コーデック部２８から受け付けた音声信号を第２スピーカ１２に出力し、携帯電話機１がハンズフリーモードでなければ、コーデック部２８から受け付けた音声信号を第１スピーカ１１に出力する。ユーザが操作キー１４を操作することにより、携帯電話機１がハンズフリーモードに設定される。また、携帯電話機１がオープンスタイルで通話状態のときハンズフリーモードに設定されていなくても、携帯電話機１の状態がクローズスタイルに変化すると、制御部２１は、ハンズフリーモードに設定する。このため、音声切換部２９は、携帯電話機１がオープンスタイルで通話状態のときハンズフリーモードに設定されていなければ、コーデック部２８から受け付けた音声信号を第１スピーカ１１に出力するが、携帯電話機１の状態がクローズスタイルに変化するとコーデック部２８から受け付けた音声信号を第２スピーカ１２に出力する。
【００２５】
音声切換部２９は、マイク１３またはマイク端子１６のいずれかが出力する音声信号をコーデック部２８に出力する。音声切換部２９は、マイク端子１６にマイクが接続されている場合は、マイク端子１６から受け付けた音声信号をコーデック部２８に出力し、マイク端子１６にマイクが接続されていない場合は、マイク１３から受け付けた音声信号をコーデック部２８に出力する。
【００２６】
表示制御部３０は、制御部２１により制御され、制御部２１から入力される指示に従ってＬＣＤ１５を制御して、ＬＣＤ１５に操作画面または画像を表示させる。ＬＣＤ１５に表示させる画像は、動画像と静止画像とを含む。
【００２７】
カードＩ／Ｆ２７には、着脱可能なメモリカード２７Ａが装着される。メモリカード２７Ａは、例えば、ＣｏｍｐａｃｔＦｌａｓｈ、ＳｍａｒｔＭｅｄｉａ（登録商標）、ＳＤ（Ｓｅｃｕｒｅ  Ｄｉｇｉｔａｌ）メモリカード、メモリースティック、ＭＭＣ（ＭｕｌｔｉＭｅｄｉａ  Ｃａｒｄ）、ｘＤピクチャーカードなどである。
【００２８】
振動部２６は、制御部２１により制御され、重心とは異なる位置がモータの軸に固定された振動板を回転させることにより、振動を発生する。制御部２１は、例えば、無線回路２２または無線ＬＡＮ回路２３において着信信号を受信したときに、振動部２６を駆動させることにより、振動による着信報知動作を実行する。
【００２９】
制御部２１は、カードＩ／Ｆ２７を介して、メモリカード２７Ａにアクセスが可能である。なお、ここでは制御部２１で実行するためのプログラムをフラッシュＲＯＭ３１に記憶しておく例を説明するが、プログラムをメモリカード２７Ａに記憶しておき、メモリカード２７Ａからプログラムを読み出して、制御部２１で実行するようにしてもよい。プログラムを記憶する記録媒体としては、メモリカード２７Ａに限られず、フレキシブルディスク、カセットテープ、光ディスク（ＣＤ−ＲＯＭ（Ｃｏｍｐａｃｔ  Ｄｉｓｃ
−ＲＯＭ）／ＭＯ（Ｍａｇｎｅｔｉｃ  Ｏｐｔｉｃａｌ  Ｄｉｓｃ）／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、光カード、マスクＲＯＭ、ＥＰＲＯＭなどの半導体メモリ等でもよい。また、携帯電話機１をインターネットに無線回路２２または無線ＬＡＮ回路２３を介して接続し、インターネットに接続されたコンピュータからプログラムをダウンロードして、制御部２１で実行するようにしてもよい。ここでいうプログラムは、制御部２１により直接実行可能なプログラムだけでなく、ソースプログラム、圧縮処理されたプログラム、暗号化されたプログラム等を含む。
【００３０】
カメラ２４は、レンズおよびＣＭＯＳ(Ｃｏｍｐｌｅｍｅｎｔａｒｙ  Ｍｅｔａｌ  Ｏｘｉｄｅ  Ｓｅｍｉｃｏｎｄｕｃｔｏｒ）センサ等の光電変換素子を備え、レンズで集光した光をＣＭＯＳセンサに結像し、ＣＭＯＳセンサは受光した光を光電変換して画像データを制御部２１に出力する。カメラ２４は、制御部２１により制御され、制御部２１からの指示により撮像を開始して、得られる静止画データまたは動画データを制御部２１に出力する。カメラ２４は、画像データの画質を向上させるための画像処理を実行する画像処理回路、画像データをアナログからデジタルに変換するＡ／Ｄ変換回路を備えている。制御部２１は、カメラ２４が出力する静止画データまたは動画データを表示制御部３０に出力し、ＬＣＤ１５に表示させる、または、圧縮符号化方式で静止画データまたは動画データを符号化して、フラッシュＲＯＭ３１またはカードＩ／Ｆ２７に装着されたメモリカード２７Ａに記憶する。カメラ２４は、携帯電話機１がテレビ電話として機能する際に、携帯電話機１のユーザを撮像する。
【００３１】
本実施の形態における携帯電話機１は、フラッシュＲＯＭ３１に電話帳データ（アドレステーブル）を記憶している。図４は、電話帳データの一例を示す図である。図４を参照して、電話帳データは、通話の相手を識別するための氏名（ユーザ識別情報）と、携帯網において割当てられた携帯電話番号と、無線ＬＡＮ網において割当てられた内線番号とを関連付ける。また、電話帳データは、通話の相手の氏名（ユーザ識別情報）と、携帯網におけるショートメッセージサービス（ＳＭＳ）でデータを送信するためのメッセージアドレスと、無線ＬＡＮ網において割当てられた電子メールでデータを送信するための電子メールアドレスとを関連付ける。なお、携帯電話番号と内線番号とはいずれか一方でもよい。例えば、ユーザ識別情報「中山」に対しては、無線ＬＡＮ網において割当てられた内線番号と、無線ＬＡＮ網において割当てられた電子メールでデータを送信するための電子メールアドレスとが関連付けられているが、携帯網において割当てられた携帯電話番号と、携帯網におけるショートメッセージサービス（ＳＭＳ）でデータを送信するためのメッセージアドレスとは関連付けられていない。
【００３２】
図５は、制御部で実行される通話処理の一例を示すフローチャートである。通話処理は、制御部２１がフラッシュＲＯＭ３１に記憶されたプログラムを実行することにより、制御部２１により実行される処理である。通話処理は、携帯電話機１に電源が投入されると、制御部２１により実行される。図４を参照して、制御部２１は、電源が投入された後、無線回路２２への電力供給を開始し、無線回路２２を起動する（ステップＳ０１）。これにより、無線回路２２は、基地局装置２０１をサーチし（１ｘサーチという）、基地局装置２０１と通信可能な範囲に携帯電話機１が存在すれば、待ち受け状態となる。次に、無線ＬＡＮ回路２３への電力供給を開始し、無線ＬＡＮ回路２３を起動する（ステップＳ０２）。これにより、無線ＬＡＮ回路２３は、アクセスポイント１００，１０１，１０２のいずれかをサーチし、アクセスポイント１００，１０１，１０２のいずれかと通信可能な範囲に携帯電話機１が存在すれば、待ち受け状態となる。また、無線ＬＡＮ回路２３においては、制御部２１により例えばＷｅｂページを閲覧するためのブラウザプログラム、ナビゲーションプログラム、電子メールの送受信および編集プログラム、ファイルのダウンロードプログラム等が実行されることによって、無線ＬＡＮ回路２３により通信が実行される。
【００３３】
ステップＳ０３においては、発信指示を受け付けたか否かを判断する。発信指示を受け付けたならば処理をステップＳ０４に進め、そうなければ処理をステップＳ１１に進める。発信指示は、通信網の選択と、発信先番号の選択とを含む。携帯電話機１のユーザが操作キーを操作して、携帯網または無線ＬＡＮのいずれかを選択し、さらに内線番号または携帯電話番号を入力することにより制御部２１が発信指示を受け付ける。また、フラッシュＲＯＭ３１から電話帳データを読出し、ＬＣＤ１５に一覧表示し、一覧表示された内線番号および携帯電話番号のうちからユーザが操作キー１４を操作していずれかを選択するようにしてもよい。内線番号が選択された場合には、無線ＬＡＮを選択し、携帯電話番号が選択された場合には携帯網を選択する。
【００３４】
ステップＳ０４においては、ステップＳ０３で受け付けた発信指示で選択された通信網により処理を分岐させる。無線ＬＡＮが選択されたならば処理をステップＳ０５に進め、携帯網が選択されたならば処理をステップＳ２３に進める。ステップＳ０５においては、無線ＬＡＮで発信する。具体的には、無線ＬＡＮ回路２３に発呼信号を送信させる。発呼信号は、ステップＳ０３で受け付けた発信指示に含まれる内線番号を含む。次のステップＳ０６においては、無線ＬＡＮ通話中処理を実行する。無線ＬＡＮ通話中処理については、その詳細を後述するが、無線ＬＡＮの回線の状態によって回線の接続を維持するか切断するかを判断する処理である。ステップＳ０７においては、無線ＬＡＮ通話中処理の結果により処理を分岐させる。回線を切断すると判断された場合には処理をステップＳ２１に進め、回線を維持すると判断された場合には処理をステップＳ０８に進める。
【００３５】
ステップＳ０８においては、通話が終了したか否かを判断する。通話が終了していなければ処理をステップＳ０９に進めるが、終了したならば処理を終了する。ユーザが通話終了の操作キー１４を押下した場合、または、無線ＬＡＮから回線切断指示を受信したならば、通話が終了したと判断する。ステップＳ０９においては、切換信号を受信したか否かを判断する。ここでは、無線回路２２が切換信号を受信したか否かを判断する。切換信号については後述するが、ステップＳ０９で切換信号を受信する場合は、通信していた相手方の携帯電話機が、無線ＬＡＮで通信不可能となった場合に、相手方の携帯電話機が携帯網を介して送信する切換信号であり、これを携帯電話機１の無線回路２２が受信する。切換信号を受信したならば処理をステップＳ１０に進め、受信しなければ処理をステップＳ０６に戻す。
【００３６】
ステップＳ１０においては、無線ＬＡＮの回線を切断し、処理をステップＳ０３に戻す。処理をステップＳ０３に戻す場合、制御部２１は、無線ＬＡＮ回路２３にアクセスポイント１００，１０１，１０２をサーチするサーチ動作を開始させ、無線回路２２を待ち受け状態とする。
【００３７】
一方、ステップＳ２１においては、無線ＬＡＮ切断時処理を実行する。無線ＬＡＮ切断時処理は、その詳細を後述するが、無線ＬＡＮで回線を接続していた相手方の携帯電話機１との間で携帯網を介した回線の接続が可能か否かを判断する処理である。無線ＬＡＮ切断時処理の処理結果は、携帯網を介した回線の接続が不可能であればエラーとなる。次のステップＳ２２においては、無線ＬＡＮ切断時処理の処理結果がエラーか否かを判断する。無線ＬＡＮ切断時処理の処理結果がエラーであれば、無線ＬＡＮおよび携帯網のいずれでも通話することができないので、通話処理を終了し、そうでなければ処理をステップＳ２３に進める。
【００３８】
ステップＳ２３においては、携帯網で回線を接続するために、無線ＬＡＮで通話していた相手先の携帯電話機の携帯電話番号に発信する。具体的には、無線回路２２に発呼信号を送信させる。発呼信号は、ステップＳ２１で実行した無線ＬＡＮ切断滋処理において取得される携帯電話番号を含む。なお、処理をステップＳ０４からステップＳ２３に進める場合、ステップＳ２３においては、無線回路２２２２に発信指示に含まれる携帯電話番号を含む発呼信号を送信させる。
【００３９】
次のステップＳ２４においては、携帯網通話中処理を実行する。携帯網通話中処理については、その詳細を後述するが、携帯網の回線の状態によって回線を維持するか切断するかを判断する処理である。ステップＳ２５においては、携帯網通話中処理の結果により処理を分岐させる。回線を切断すると判断された場合には処理をステップＳ２９に進め、携帯網の回線を維持すると判断された場合には処理をステップＳ２６に進める。
【００４０】
ステップＳ２６においては、通話が終了したか否かを判断する。通話が終了していなければ処理をステップＳ２７に進めるが、終了したならば通話処理を終了する。ユーザが通話終了の操作キー１４を押下した場合、または、携帯網から回線切断指示を受信したならば、通話が終了したと判断する。ステップＳ２７においては、切換信号を受信したか否かを判断する。ここでは、無線ＬＡＮ回路２３が切換信号を受信したか否かを判断する。切換信号については後述するが、ステップＳ２４で切換信号を受信する場合は、通信していた相手方の携帯電話機が、携帯網で通信不可能となった場合に、相手方の携帯電話機が無線ＬＡＮを介して送信する切換信号を、携帯電話機１の無線ＬＡＮ回路２３が受信する。切換信号を受信したならば処理をステップＳ２８に進め、受信しなければ処理をステップＳ２４に戻す。
【００４１】
ステップＳ２８においては、携帯網の回線を切断し、処理をステップＳ０３に戻す。処理をステップＳ０３に戻す場合、制御部２１は、無線回路２２に１Ｘサーチ動作を開始させ、無線ＬＡＮ回路２３を待ち受け状態にする。
【００４２】
一方、ステップＳ２９においては、携帯網切断時処理を実行する。携帯網切断時処理は、その詳細を後述するが、携帯網で回線を接続していた相手方の携帯電話機１との間で無線ＬＡＮを介した回線の接続が可能か否かを判断する処理である。携帯網切断時処理の処理結果は、無線ＬＡＮを介した回線の接続が不可能であればエラーとなる。ステップＳ３０においては、携帯網切断時処理の処理結果がエラーか否かを判断する。携帯網切断時処理の処理結果がエラーであれば、無線ＬＡＮおよび携帯網のいずれでも通話することができないので、通話処理を終了し、そうでなければ処理をステップＳ０６に戻す。
【００４３】
図６は、無線ＬＡＮ通話中処理の流れの一例を示すフローチャートである。無線ＬＡＮ通話中処理は、図５のステップＳ０６において実行される処理である。図６を参照して、無線ＬＡＮ回路２３が受信する電波の電波強度を検出する（ステップＳ４１）。次のステップＳ４２においては、検出された電波強度が予め定めたしきい値Ｔ１より大きいか否かを判断する。電波強度がしきい値Ｔ１より大きければ処理をステップＳ４３に進めるが、そうでなければ処理をステップＳ４４に進める。ステップＳ４３においては、返り値に「正常」を設定し、処理を通信処理に戻す。
【００４４】
ステップＳ４４においては、無線ＬＡＮで確立していた回線を切断し、処理をステップＳ４５に進める。ステップＳ４５においては、返り値に「無線ＬＡＮ切断」を設定し、処理を通信処理に戻す。
【００４５】
無線ＬＡＮ回路２３が受信する電波の電波強度が弱くなくと、通話できなくなる。このため、電波強度が強い間は通話を継続させるために無線ＬＡＮを介して接続していた回線を維持するが、電波強度が弱くなると無線ＬＡＮを介して接続していた回線を切断する。なお、ここでは、電波強度を用いて通話可能か否かを判断するようにしたが、アクセスポイント１００，１０１，１０２それぞれが送出するビーコンを受信できたか否かにより、通話可能か否かを判断するようにしてもよい。さらに、エラービットレートをしきい値と比較することによって、通話可能か否かを判断するようにしてもよい。
【００４６】
図７は、無線ＬＡＮ切断時処理の流れの一例を示すフローチャートである。無線ＬＡＮ切断時処理は、図５のステップＳ２１において実行される処理である。図７を参照して、電話帳データを検索する（ステップＳ５１）。無線ＬＡＮ切断時処理が実行される場合、携帯電話機１は、それまでは相手方の携帯電話機と無線ＬＡＮを介して接続されている。このため、相手方の携帯電話機に無線ＬＡＮで割り当てられた内線番号をキーにして、携帯網で割り当てられた携帯電話番号を取得する。具体的には、相手方の携帯電話機に無線ＬＡＮで割り当てられた内線番号をキーにして、フラッシュＲＯＭ１１３に記憶されている電話帳データを検索し、電話帳データを抽出する。
【００４７】
次のステップＳ５２においては、相手方の携帯電話機に携帯網で割当てられた携帯電話番号が存在するか否かを判断する。具体的には、内線番号を含む電話帳データを抽出できたか否か、さらに、抽出できた場合には、その抽出した電話帳データに携帯電話番号が定義されていれるか否かを判断する。電話帳データを抽出できない場合には、処理をステップＳ５６に進める。電話帳データを抽出できた場合、その抽出した電話帳データに携帯電話番号が定義されていれば処理をステップＳ５３に進めるが、携帯電話番号が定義されていなければ処理をステップＳ５６に進める。
【００４８】
ステップＳ５３においては、携帯網に切換信号を送信する。具体的には、切換信号を含むメッセージを生成し、ステップＳ５２で抽出した電話帳データに定義されているメッセージアドレス宛に、メッセージを送信する。切換信号は、相手方の携帯電話機に、無線ＬＡＮで確立している回線を切断し、待ち受け状態に遷移させる指示を含む。携帯電話網に携帯電話番号で発信する前に、切換指示を送信するので、相手方の携帯電話機は、いつまでも無線ＬＡＮで確立された回線を接続した状態とならず、次に携帯電話機１が発信する発呼に応じることが可能な待ち受け状態となる。
【００４９】
次のステップＳ５４においては、切換信号の送信が成功したか否かを判断する。送信に成功したならば処理をステップＳ５５に進め、送信に失敗したならば処理をステップＳ５６に進める。ステップＳ５５においては、返り値に「正常」を設定し、処理を通話処理に戻す。
【００５０】
ステップＳ５６においては、エラー処理を実行し、処理をステップＳ５７に進める。メッセージを送信できない場合には、携帯網において回線を確立することができないので、通話を終了させる。エラー処理は、たとえば、通話できないことをユーザに知らせるメッセージをＬＣＤ１５に表示する処理である。ステップＳ５７においては、返り値に「エラー」を設定し、処理を通話処理に戻す。
【００５１】
図８は、携帯網通話中処理の流れの一例を示すフローチャートである。携帯網通話中処理は、図５のステップＳ２４において実行される処理である。図８を参照して、無線回路２２が受信する電波の電波強度を検出する（ステップＳ６１）。次のステップＳ６２においては、検出された電波強度が予め定めたしきい値Ｔ２より大きいか否かを判断する。電波強度がしきい値Ｔ２より大きければ処理をステップＳ６３に進めるが、そうでなければ処理をステップＳ６４に進める。ステップＳ６３においては、返り値に「正常」を設定し、処理を通信処理に戻す。
【００５２】
ステップＳ６４においては、携帯網で確立していた回線を切断し、処理をステップＳ６５に進める。ステップＳ６５においては、返り値に「携帯網切断」を設定し、処理を通信処理に戻す。
【００５３】
無線回路２２が受信する電波の電波強度が弱くなくと、通話できなくなる。このため、電波強度が強い間は通話を継続させるために携帯網で確立している回線を維持するが、電波強度が弱くなると携帯網で確立している回線を切断する。なお、ここでは、電波強度を用いて通話可能か否かを判断するようにしたが、エラービットレートをしきい値と比較することによって、通話可能か否かを判断するようにしてもよい。
【００５４】
図９は、携帯網切断時処理の流れの一例を示すフローチャートである。携帯網切断時処理は、図５のステップＳ２９において実行される処理である。図９を参照して、電話帳データを検索する（ステップＳ７１）。携帯網切断時処理が実行される場合、携帯電話機１は、それまでは相手方の携帯電話機と携帯網を介して接続されている。このため、相手方の携帯電話機に携帯網で割り当てられた携帯電話番号をキーにして、無線ＬＡＮで割り当てられた内線番号を取得する。具体的には、相手方の携帯電話機に携帯網で割り当てられた形態電話番号をキーにして、フラッシュＲＯＭ１１３に記憶されている電話帳データを検索し、電話帳データを抽出する。
【００５５】
次のステップＳ７２においては、相手方の携帯電話機に無線ＬＡＮで割当てられた内線番号が存在するか否かを判断する。具体的には、携帯電話番号を含む電話帳データを抽出できたか否か、さらに、抽出できた場合には、その抽出した電話帳データに内線番号が定義されていれるか否かを判断する。電話帳データを抽出できない場合には、処理をステップＳ７６に進める。電話帳データを抽出できた場合、その抽出した電話帳データに内線番号が定義されていれば処理をステップＳ７３に進めるが、内線番号が定義されていなければ処理をステップＳ７６に進める。
【００５６】
ステップＳ７３においては、無線ＬＡＮに切換信号を送信する。具体的には、切換信号を含む電子メールを生成し、ステップＳ７２で抽出した電話帳データに定義されている電子メールアドレス宛に、電子メールを送信する。切換信号は、相手方の携帯電話機に、携帯網で確立している回線を切断し、待ち受け状態に遷移させる指示を含む。相手方の携帯電話機に無線ＬＡＮを介して内線番号で発信する前に切換指示を送信するので、相手方の携帯電話機は、いつまでも携帯網で確立された回線を接続した状態とならず、次に携帯電話機１が発信する発呼に応じることが可能な待ち受け状態となる。
【００５７】
次のステップＳ７４においては、切換信号の送信が成功したか否かを判断する。送信に成功したならば処理をステップＳ７５に進め、送信に失敗したならば処理をステップＳ７６に進める。ステップＳ７５においては、返り値に「正常」を設定し、処理を通話処理に戻す。
【００５８】
ステップＳ７６においては、エラー処理を実行し、処理をステップＳ７７に進める。電子メールを送信できない場合には、無線ＬＡＮにおいて通話のための回線を確立することができないので、通話を終了させる。エラー処理は、たとえば、通話できないことをユーザに知らせるメッセージをＬＣＤ１５に表示する処理である。ステップＳ７７においては、返り値に「エラー」を設定し、処理を通話処理に戻す。
【００５９】
一方、ステップＳ１１においては、着信を受け付けたか否かを判断し、着信を受け付けたならば着信処理を実行し（ステップＳ１２）、着信がなければ処理をステップＳ０３に戻す。
【００６０】
図１０は、着信処理の流れの一例を示すフローチャートである。着信処理は、相手側からの発呼の検出（着信）に応答して、通話のための回線を接続する処理である。ステップＳ８１においては、着信のあった通信網を判断する。無線ＬＡＮ回路が着信を検出した場合には処理をステップＳ８２に進め、無線回路２２が着信を検出した場合には処理をステップＳ８５に進める。ステップＳ８２においては、図５に示した通信処理のステップＳ２７において、無線ＬＡＮ回路２３が切換信号を受信したか否かを判断する。ステップＳ２７において、無線ＬＡＮ回路２３が受信した切換信号を送信してきた携帯電話機からの着信（接続要求の受信）であれば処理をステップＳ８４に進め、そうでなければ処理をステップＳ８３に進める。ステップＳ８３においては、操作キー１４の通話キーが押下されたか否かを判断する。通話キーの押下を検出したならば処理をステップＳ８４に進め、そうでなければ処理を、通話処理のステップＳ０３に戻す。ステップＳ８４においては、無線ＬＡＮ回路２３に回線を確立させる。これにより、無線ＬＡＮ回路２３で通話が可能となる。
【００６１】
ステップＳ８５においては、図５に示した通信処理のステップＳ０９において無線回路２２が切換信号を受信したか否かを判断する。ステップＳ０９において無線回路２２が受信した切換信号を送信してきた携帯電話機からの着信（接続要求の受信）であれば処理をステップＳ８７に進め、そうでなければ処理をステップＳ８６に進める。ステップＳ８６においては、操作キー１４の通話キーが押下されたか否かを判断する。通話キーの押下を検出したならば処理をステップＳ８７に進め、そうでなければ処理を、通話処理のステップＳ０３に戻す。ステップＳ８７においては、無線回路２２に回線を確立させる。これにより、無線回路２２で通話が可能となる。
【００６２】
無線ＬＡＮ回路２３が切換信号を受信した後に、その切換信号を送信してきた携帯電話機からの着信を検出した場合には、自動的に通話のための回線が接続される。また、無線回路２２が切換信号を受信した後に、その切換信号を送信してきた携帯電話機からの着信を検出した場合には、自動的に通話のための回線が接続される。このため、ユーザは、着信のための操作、例えば通信網を切り換えるための操作、着信に応じる操作等をする必要がなく、操作を簡略化することができる。
【００６３】
以上説明したように本実施の形態における携帯電話機１は、通話相手のユーザの氏名（ユーザ識別情報）と、携帯電話番号および内線番号を関連付けた電話帳データを記憶しており、通話の相手先が携帯する携帯電話機と無線ＬＡＮで回線を確立中に通信不能となった場合、電話帳データが検索され、通話しているユーザのユーザ識別情報に関連し、かつ、携帯網に対応する携帯電話番号が抽出され、携帯電話番号で相手方の携帯電話機に発呼する。これにより、相手先の携帯電話機と、無線ＬＡＮで通話できなくなったとしても、自動的に携帯網で発呼されるので、通話のための回線が自動的に確立される。このため、無線ＬＡＮから携帯網に切換える操作、携帯電話番号で発呼する操作が不要となり、利便性が向上する。
【００６４】
また、通話の相手先が所有する携帯電話機と携帯網で回線を確立中に通信不能となった場合、電話帳データが検索され、通話しているユーザのユーザ識別情報に関連し、かつ、無線ＬＡＮに対応する内線番号が抽出され、内線番号で相手方の携帯電話機に発呼する。これにより、相手先の携帯電話機と、携帯網で通話できなくなったとしても、自動的に無線ＬＡＮで発呼されるので、通話のための回線が自動的に確立される。このため、携帯網から無線ＬＡＮに切換える操作、内線番号で発呼する操作が不要となり、利便性が向上する。
【００６５】
また、無線ＬＡＮで回線が確立されている間に通信不能となった場合、電話帳データが検索され、通話しているユーザのユーザ識別情報に関連し、かつ、携帯網で割当てられたメッセージアドレスが抽出され、携帯電話番号で発呼する前に、メッセージアドレス宛に切換信号を送信する。切換信号を送信した後に、携帯電話番号に発呼するので、切換信号を受信した相手方の携帯電話機は、待ち受け状態となることができ、携帯電話機１の発呼に自動的に応呼することができる。また、携帯網で回線が確立されている間に通信不能となった場合、電話帳データが検索され、通話しているユーザのユーザ識別情報に関連し、かつ、無線ＬＡＮで割当てられた電子メールアドレスが抽出され、内線番号で発呼する前に、電子メールアドレス宛に切換信号を送信する。切換信号を送信した後に、内戦番号に発呼するので、切換信号を受信した相手方の携帯電話機は、待ち受け状態となることができ、携帯電話機１の発呼に自動的に応呼することができる。このため、切換の待ち時間を短くすることができる。
【００６６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６７】
【図１】本実施の形態における通信システムの概要を示す図である。
【図２】本発明の実施の形態の一つにおける携帯電話機の外観を示す斜視図である。
【図３】本実施の形態における携帯電話機の機能の一例を示す機能ブロック図である。
【図４】電話帳データの一例を示す図である。
【図５】制御部で実行される通話処理の一例を示すフローチャートである。
【図６】無線ＬＡＮ通話中処理の流れの一例を示すフローチャートである。
【図７】無線ＬＡＮ切断時処理の流れの一例を示すフローチャートである。
【図８】携帯網通話中処理の流れの一例を示すフローチャートである。
【図９】携帯網切断時処理の流れの一例を示すフローチャートである。
【図１０】着信処理の流れの一例を示すフローチャートである。
【符号の説明】
【００６８】
１  携帯電話機、２  表示側部、３  操作側部、１０  通信システム、１１  第１スピーカ、１２  第２スピーカ、１３  マイク、１４  操作キー、１４Ａ  電源キー、１５  ＬＣＤ、１６  マイク端子、１７  イヤホン端子、２１  制御部、２２  無線回路、２３  無線ＬＡＮ回路、２４  カメラ、２６  振動部、２７  カードＩ／Ｆ、２７Ａ  メモリカード、２８  コーデック部、２９  音声切換部、３０  表示制御部、４１  バッテリ、４３  電力切換部、１００〜１０２  アクセスポイント、１１０  ＬＡＮケーブル、１１１  Ｇ／Ｗ、１１２  ＶｏＩＰサーバ、１１５  インターネット、２００  携帯電話システム、２０１  基地局装置、２０２  通信網、３００  無線ＬＡＮシステム。
【図１】
2008148057.tif 000003
【図２】
2008148057.tif 000004
【図３】
2008148057.tif 000005
【図４】
2008148057.tif 000006
【図５】
2008148057.tif 000007
【図６】
2008148057.tif 000008
【図７】
2008148057.tif 000009
【図８】
2008148057.tif 000010
【図９】
2008148057.tif 000011
【図１０】
2008148057.tif 000012